(57)【要約】【課題】本発明の高周波加熱装置は、マグネトロン駆動用高圧コンデンサを覆い、マグネトロン冷却ファンと吸気部とを結ぶエアーガイド形状にすることで、部品点数と組立工数の削減によるコストダウンと効率的な冷却性能を可能にする。【解決手段】マグネトロン冷却用ファン１７、及びマグネトロン駆動用高圧コンデンサ１８と、を備え、絶縁カバー２０は、一端を吸気部１９近傍に開口し他端をマグネトロン冷却用ファン１７の近傍に開口して、マグネトロン冷却用ファン１７により、吸気部１９から吸い込んだ空気を、マグネトロン駆動用高圧コンデンサ１８の近傍を経由して、マグネトロン冷却用ファン１７に導く。これにより、本体ケーシング２１とマグネトロン駆動用高圧コンデンサ１８との絶縁を確保し、マグネトロン駆動用高圧コンデンサ１８の冷却を図ることができる。【選択図】図１
2013130306.tif 000002
【特許請求の範囲】
【請求項１】
被加熱物を加熱する加熱室と、前記加熱室を構成する加熱室側壁と、加熱室側壁を覆う本体ケーシングと、加熱室側壁に設置したマグネトロン駆動用高圧コンデンサと、加熱室側壁に設置したマグネトロン冷却用ファンと、前記加熱室下部に設けた吸気部と、前記マグネトロン駆動用高圧コンデンサの端子部周辺を覆う絶縁カバー
と、を備え、
前記絶縁カバーは、一端を前記吸気部近傍に開口し他端を前記マグネトロン冷却用ファンの近傍に開口して、前記マグネトロン冷却用ファンにより前記吸気部から吸い込んだ空気を前記マグネトロン駆動用高圧コンデンサの近傍を経由して前記マグネトロン冷却用ファンに導く高周波加熱装置 。
【発明の詳細な説明】
【技術分野】
【０００１】
本発明は、マグネトロンを搭載した高周波加熱装置に関するものである。
【背景技術】
【０００２】
従来、マグネトロンを駆動させるためのマグネトロン駆動用高圧コンデンサは、絶縁対策として、本体ケーシング内壁と加熱室外壁に絶縁シートと端子部に絶縁チューブを設けていた（例えば、特許文献１参照）。
【０００３】
図２は、特許文献１に記載された従来の高圧コンデンサの絶縁対策を示すものである。
【０００４】
図２に示すように、マグネトロン駆動用高圧コンデンサ１と、本体ケーシング（図示せず）内壁に貼付けてある絶縁シート（図示せず）と、加熱室２外壁に貼付けてある絶縁シート３と、高圧コンデンサ端子部１ａ周辺にある絶縁チューブ（図示せず）とマグネトロン冷却用ファン５と電子レンジ内部の吸気部６から構成されている。
【先行技術文献】
【特許文献】
【０００５】
【特許文献１】特公昭６２−１２６３９号公報
【発明の概要】
【発明が解決しようとする課題】
【０００６】
しかしながら、前記従来の構成では、部品点数と組立作業工数が多くなり、コストが高い課題と、マグネトロン駆動用高圧コンデンサ１への安定した冷却が出来ないという課題を有していた。
【０００７】
本発明は、前記従来の課題を解消するもので、従来の絶縁性能を維持するだけでなく、部品点数と組立作業工数を削減し、マグネトロン駆動用高圧コンデンサへの安定した冷却風路の形成を可能とする高周波加熱装置を提供することを目的とする。
【課題を解決するための手段】
【０００８】
前記従来の課題を解決するために、本発明の高周波加熱装置は、被加熱物を加熱する加熱室と、前記加熱室を構成する加熱室側壁と、加熱室側壁を覆う本体ケーシングと、加熱室側壁に設置したマグネトロン駆動用高圧コンデンサと、加熱室側壁に設置したマグネトロン冷却用ファンと、前記加熱室下部に設けた吸気部と、前記マグネトロン駆動用高圧コンデンサの端子部周辺を覆う絶縁カバーと、を備え、前記絶縁カバーは、一端を前記吸気部近傍に開口し他端を前記マグネトロン冷却用ファンの近傍に開口して、前記マグネトロン冷却用ファンにより前記吸気部から吸い込んだ空気を前記マグネトロン駆動用高圧コンデンサの近傍を経由して前記マグネトロン冷却用ファンに導くものである。
【０００９】
これによって、従来、マグネトロン駆動用高圧コンデンサの絶縁対策として必要であった絶縁シートと絶縁チューブとを、削減することが可能となる。また、マグネトロン駆動用高圧コンデンサへの安定した冷却風路を形成することが可能となる。
【発明の効果】
【００１０】
本発明の高周波加熱装置は、従来のマグネトロン駆動用高圧コンデンサへの絶縁性能を維持した上で、部品点数と組立作業工数を削減することによるコストダウンと、マグネトロン駆動用高圧コンデンサへの安定した冷却を実現することができる。
【図面の簡単な説明】
【００１１】
【図１】本発明の第１の実施の形態における高周波加熱装置の斜視図
【図２】従来の高周波加熱装置における斜視図
【発明を実施するための形態】
【００１２】
第１の発明は、被加熱物を加熱する加熱室と、前記加熱室を構成する加熱室側壁と、加熱室側壁を覆う本体ケーシングと、加熱室側壁に設置したマグネトロン駆動用高圧コンデンサと、加熱室側壁に設置したマグネトロン冷却用ファンと、前記加熱室下部に設けた吸気部と、前記マグネトロン駆動用高圧コンデンサの端子部周辺を覆う絶縁カバーと、を備え、前記絶縁カバーは、一端を前記吸気部近傍に開口し他端を前記マグネトロン冷却用ファンの近傍に開口して、前記マグネトロン冷却用ファンにより前記吸気部から吸い込んだ空気を前記マグネトロン駆動用高圧コンデンサの近傍を経由して前記マグネトロン冷却用ファンに導くものである。
【００１３】
これにより、加熱室と本体ケーシングとの絶縁距離をとることで、部品点数と組立作業工数を削減することができるとともに、マグネトロン駆動用高圧コンデンサへの安定した冷却風路を形成し、効率的な冷却を実現することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における高周波加熱装置の本体ケーシングを取った状態の斜視図である。
【００１６】
同図において、マグネトロン駆動用高圧コンデンサ１８は、電子レンジ１１（高周波加熱装置）の機械室１５内において、絶縁距離を保ちながら加熱室１２の外壁側に取付けられており、その下方に吸気部１９がある。マグネトロン冷却用ファン１７とマグネトロン（図示せず）は、マグネトロン駆動用高圧コンデンサ１８が取り付けられた加熱室１２外壁とは、反対側の加熱室１２外壁に取付けられている。
【００１７】
絶縁カバー２０はエアーガイド形状をしており、吸気部１９の近傍に一端を開口し、マグネトロン駆動用高圧コンデンサ１８の端子部１８ａを経由して、他端をマグネトロン冷却用ファン１７の近傍に開口している。
【００１８】
以上のように構成された電子レンジ（高周波加熱装置）について、以下その動作、作用を説明する。
【００１９】
まず、操作部１４により調理情報を入力し、加熱調理を行う。加熱調理中、マグネトロン冷却用ファン１７は回転する。マグネトロン冷却用ファン１７の回転により、吸気部１９から、絶縁カバー２０内に空気が流入する。絶縁カバー２０の風路を通して、冷却用空気がマグネトロン駆動用高圧コンデンサ１８の端子部１８ａを冷却する。
【００２０】
加熱調理中、マグネトロン駆動用高圧コンデンサ１８には、電流が流れている。絶縁カバー２０により、加熱室１２外壁とマグネトロン駆動用高圧コンデンサ１８との間は絶縁され、加熱室１２外壁への漏電を防ぐ。また、本体ケーシング（図示せず）とマグネトロン駆動用高圧コンデンサ１８との間も絶縁され、本体ケーシングへの漏電を防ぐ。
【００２１】
以上のように、本実施の形態においては、マグネトロン駆動用高圧コンデンサ１８を覆う絶縁カバー２０をエアーガイド形状とすることにより、マグネトロン駆動用高圧コンデンサ１８の端子部１８ａへの風路を形成し、マグネトロン駆動用高圧コンデンサ１８の端子部１８ａを冷却することができる。そして、加熱室１２外壁と本体ケーシングへの漏電を防ぐことができる。
【００２２】
なお、本実施の形態の絶縁カバー２０は、高圧トランス部（図示せず）へのエアーガイド形状とすることにより、高圧トランス部への冷却風路を形成して、高圧トランス部を冷却することができる。
【産業上の利用可能性】
【００２３】
以上のように、本発明にかかる高周波加熱装置は、マグネトロン駆動用高圧コンデンサ等の電子部品への絶縁と、安定した冷却風路を両立させることが可能となるので、家庭用の装置だけではなく、閉塞空間に設置されることが多い業務用の装置にも適用できる。
【符号の説明】
【００２４】
１１  電子レンジ（高周波加熱装置）
１２  加熱室
１５  機械室
１７  マグネトロン冷却用ファン
１８  マグネトロン駆動用高圧コンデンサ
１９  吸気部
２０  絶縁カバー
【図１】
2013130306.tif 000003
【図２】
2013130306.tif 000004